(57)【要約】【課題】  差出人の意思の伝達だけではなく差出人の宣伝媒体としても機能させることができるメッセージカード配信システムを提供しようとするもの。【解決手段】  メッセージの差出人１の氏名／名称と、受取人２の氏名／名称と、差出人１が受取人２に伝えたい祝辞や弔意などのメッセージと共に、差出人１を個性化する画像情報３を配信業者４に伝達し、前記メッセージ内容が配信業者４からコンピュータネットワークを介して催し会場17側へと配信され、前記催し会場17側で前記メッセージ内容をメッセージカード５に印刷し、前記メッセージカード５を受取人２へと提供するようにした。【選択図】  図１
2006011519.tif 000002
【特許請求の範囲】
【請求項１】
メッセージの差出人１の氏名／名称と、受取人２の氏名／名称と、差出人１が受取人２に伝えたい祝辞や弔意などのメッセージと共に、差出人１を個性化する画像情報３を配信業者４に伝達し、前記メッセージ内容が配信業者４からコンピュータネットワークを介して催し会場17側へと配信され、前記催し会場17側で前記メッセージ内容をメッセージカード５に印刷し、前記メッセージカード５を受取人２へと提供するようにしたことを特徴とするメッセージカード配信システム。
【請求項２】
前記催し会場17で前記メッセージ内容が紹介されるようにした請求項１記載のメッセージカード配信システム。
【発明の詳細な説明】
【技術分野】
【０００１】
この発明は、メッセージカード配信システムに関するものである。
【背景技術】
【０００２】
従来からの電報に代わり、差出人より発信された祝電や弔電等のメッセージを、インターネットを含むネットワークを介して送り先の結婚式場や斎場などに配信するメール配信サービスが提案されている（例えば、特許文献１参照）。
【０００３】
前記メール配信サービスは、祝電及び弔電メールメッセージを発信するメール差出人と、結婚式場、斎場及びインターネットサーバを含み、前記メール差出人と結婚式場、斎場及びインターネットサーバをインターネットを含むネットワークを介して有機的に接続させる、というものである。
【０００４】
古くからの電報や前記のようなメール配信サービスは、差出人の氏名、受取人の氏名、差出人が受取人に伝えたい祝辞や弔意などの意思が印刷された書面が受取人へと配信されるものであり、社会活動を営むうえの儀礼的な手段として有効なものである。
【０００５】
しかし、その利用の状況を検証したところ単に意思の伝達を行うことだけが差出人の意図するところではなく、特に会社や銀行その他団体や議員等の公職に属するような者が利用する背景には、差出人の意思の伝達自体以外にその団体や議員さんの宣伝をしたいという意図も含まれていることが多いものと考えられる。すなわち、企業・団体の場合には今後の営業活動の布石となることを期待するものであり、議員等の場合には選挙活動の一助となることを期待するものである。
【特許文献１】特開２００２―２０３０５９号公報(請求項１)
【発明の開示】
【発明が解決しようとする課題】
【０００６】
そこでこの発明は、差出人の意思の伝達だけではなく差出人の宣伝媒体としても機能させることができるメッセージカード配信システムを提供しようとするものである。
【課題を解決するための手段】
【０００７】
前記課題を解決するためこの発明では次のような技術的手段を講じている。
(１)この発明のメッセージカード配信システムは、メッセージの差出人の氏名／名称と、受取人の氏名／名称と、差出人が受取人に伝えたい祝辞や弔意などのメッセージと共に、差出人を個性化する画像情報を配信業者に伝達し、前記メッセージ内容が配信業者からコンピュータネットワーク(ハードウェア資源)を介して催し会場側へと配信され、前記催し会場側で前記メッセージ内容をメッセージカードに印刷し、前記メッセージカードを受取人へと提供するようにしたことを特徴とする。
【０００８】
このメッセージカード配信システムでは、メッセージ内容(差出人の氏名／名称、受取人の氏名／名称、差出人が受取人に伝えたい祝辞や弔意などのメッセージ、差出人を個性化する画像情報)を配信業者からコンピュータネットワーク(インターネットなど)を介して催し会場(結婚式場、斎場、パーティー会場など)側へと配信し、前記催し会場側で印刷したメッセージカードを受取人へと提供するようにしたので、差出人(企業・団体や議員など)を個性化する画像情報(差出人会社・団体のロゴマーク、差出人の顔写真、差出人の直筆の署名など)をもメッセージカードに表現して受取人(結婚する当事者、お葬式の場合は喪主など)にアピールし印象付けすることができる。
【０００９】
また、メッセージ内容はコンピュータネットワークを介して催し会場側へと配信されるようにしたので、差出人を個性化する画像情報などを(コンピュータネットワークにより)カラーで配信することができる。
【００１０】
(２)また、前記催し会場で前記メッセージ内容が紹介されるようにしてもよい。
このように構成すると、催し会場で司会者などが差出人のメッセージ内容を紹介することにより、受取人だけではなく催し会場の参加者に対するＰＲ効果も得ることができる。
【発明の効果】
【００１１】
この発明は上述のような構成であり、次の効果を有する。
【００１２】
差出人(企業・団体や議員など)を個性化する画像情報(差出人会社・団体のロゴマーク、差出人の顔写真、差出人の直筆の署名など)をもメッセージカードに表現して受取人(結婚する当事者、お葬式の場合は喪主など)にアピールし印象付けすることができるので、差出人の意思の伝達だけではなく差出人の宣伝媒体としても機能させることができるメッセージカード配信システムを提供することができる。
【発明を実施するための最良の形態】
【００１３】
以下、この発明の実施の形態を図面を参照して説明する。
【００１４】
図１及び図２に示すように、この実施形態のメッセージカード配信システムは、メッセージの差出人１の氏名／名称と、取り引きなどをしている受取人２の氏名／名称と、差出人１が受取人２に伝えたい祝辞や弔意などのメッセージと共に、差出人１を個性化する画像情報３を配信業者４に伝達する。
【００１５】
前記メッセージの差出人１の氏名とは差出人１が議員などの個人の場合であり、差出人１の名称とは差出人１が企業・銀行・金融機関・団体(ライオンズクラブ等)などの場合である。このような企業・銀行・金融機関・団体(ライオンズクラブ等)や公職の議員さんなどは、営業活動の布石となることや選挙活動の一助となることを期待して電報でメッセージを送ることが多かったものである。
【００１６】
また前記受取人２とは、結婚式を行う場合は結婚する当事者(新郎・新婦)であり、お葬式の場合は亡くなったかたのご当家の喪主であり、勲章・褒章のパーティーを行う場合は受章した本人であり、ビルの竣工記念パーティーを行う場合はビルを新築した会社であり、新規店舗の開店パーティーを行う場合は店舗を開店する会社であり、設立何周年かの記念式典を行う場合はその会社であり、クリスマスパーティーを開催する場合はその主催者である。
【００１７】
図３乃至図５のメッセージカード５に示すように、前記差出人１を個性化する画像情報３は、差出人会社・団体のロゴマーク６、差出人１の顔写真７、差出人１の直筆の署名８などである。図３に示すメッセージカード５は差出人１を個性化する画像情報３として差出人会社・団体のロゴマーク６を印刷したものであり、図４に示すメッセージカード５は差出人１を個性化する画像情報３として差出人１の顔写真７を印刷したものであり、図５に示すメッセージカード５は差出人１を個性化する画像情報３として差出人１の直筆の署名８を印刷したものである。
【００１８】
前記差出人１を個性化する画像情報３であるが、図２に示すように、手書きしたサインや自分の顔写真７をスキャナー９で読み取ったり、或いはサインをペンタブレット10で直接手書きしてイメージファイル11を作成する。上記のような差出人１はメッセージを送る機会が非常に多いので、自分のパーソナルコンピュータＰＣ(図１参照)から前記イメージファイル11を配信業者４が運営するＷＥＢサイト13（ホームページ）のサーバー14の会員用イメージデータベース15に予めアップロードして登録しておく。或いは運営業者にイメージファイル11の登録を依頼する。すなわち、差出人１はその顔写真７や直筆の手書きサイン・団体のロゴマーク６等の画像データを電子メールに添付して前記サーバー14に送信し、予め登録しておくとよい。
【００１９】
利用時すなわち実際にメッセージを送る際には、差出人１は、インターネットにより配信業者４のＷＥＢサイト13（ホームページ）にアクセス16したり、配信業者宛てにファックスしたり電話したり、携帯電話から配信業者４のＷＥＢサイト13にアクセスすることにより、受取人２の氏名／名称、差出人１が受取人２に伝えたい祝辞や弔意などのメッセージ(配信業者側で文例・テンプレートを幾つか用意しておくとよい)、催し会場17(式場等)その他の情報を連絡する。前記催し会場17とは、結婚式場、斎場、パーティー会場などである。配信業者４は、前記連絡内容に対応して画像情報３とメッセージ文章とをＰＤＦｊａｖａ（商標）18により結合したプレビュー19を作成して差出人１に提示し、差出人１が確認する。
【００２０】
次いで、前記メッセージ内容が配信業者４からコンピュータネットワーク(インターネットなど)を介して催し会場側の電子メールアドレス（催し会場側の配送業者の電子メールアドレスや配信先専用のデータサーバーの場合もある）へと配信される。前記メッセージ内容とは、差出人１の氏名／名称、受取人２の氏名／名称、差出人１が受取人２に伝えたい祝辞や弔意などのメッセージ、差出人１を個性化する画像情報３などである。
【００２１】
そして、前記催し会場側で前記メッセージ内容をダウンロードし式場担当者20がメッセージカード５に印刷21(カラープリント)し、司会者がその内容を催し会場17の参加者に紹介した後、前記メッセージカード５を台紙22(会場側で在庫しておく)に添えて受取人２へと(受取証23へのサインと引き換えに)提供する。
【００２２】
次に、この実施形態のメッセージカード配信システムの使用状態を説明する。
【００２３】
このメッセージカード配信システムでは、メッセージ内容を配信業者４からコンピュータネットワークを介して催し会場側へと配信し、前記催し会場側でダウンロード後に印刷したメッセージカード５を受取人２へと提供するようにしたので、差出人１を個性化する画像情報３をもメッセージカード５に表現して受取人２にアピールし印象付けすることができ、差出人１の意思の伝達だけではなく差出人１の宣伝媒体としても機能させることができるという利点がある。
【００２４】
また、メッセージ内容はコンピュータネットワークを介して催し会場側へと配信されるようにしたので、差出人１を個性化する画像情報３などを(コンピュータネットワークにより)カラーで配信することができる。
【００２５】
さらに、前記催し会場17で前記メッセージ内容が紹介されるようにしたので、催し会場17で司会者などが差出人１のメッセージ内容を紹介することにより、受取人２だけではなく催し会場17の参加者に対するＰＲ効果も得ることができるという利点がある。
【産業上の利用可能性】
【００２６】
差出人の意思の伝達だけではなく差出人の宣伝媒体としても機能させることができ、種々のメッセージカード配信システムの用途に適用することができる。
【図面の簡単な説明】
【００２７】
【図１】この発明のメッセージカード配信システムの実施形態のシステム構成を説明する図。
【図２】差出人を個性化する画像情報の取り込み方を説明する図。
【図３】メッセージカードの一例を説明する図。
【図４】メッセージカードの一例を説明する図。
【図５】メッセージカードの一例を説明する図。
【符号の説明】
【００２８】
１  差出人
２  受取人
３  差出人を個性化する画像情報
４  配信業者
５  メッセージカード
17  催し会場
【図１】
2006011519.tif 000003
【図２】
2006011519.tif 000004
【図３】
2006011519.tif 000005
【図４】
2006011519.tif 000006
【図５】
2006011519.tif 000007